(57)【要約】  【課題】  視聴情報を無線でディジタルコードレス電話によって管理システムに伝送することにより、電話引込み口の場所によって、設置場所が制約されることを防止する。  【解決手段】  フロントエンドで受信され、映像／音声デコーダにより受信データが復号され、Ｄ／Ａ変換器から映像信号および音声信号が出力される。視聴情報は、ＩＣカードに格納されており、定期的にＣＰＵによってメモリに読み込まれ、さらに、ＣＰＵの制御によりメモリから管理システムに対してディジタルコードレス電話を介して伝送される。ディジタルコードレス電話の子機モジュールと外部の親機２２との間で、アンテナを介して視聴情報が無線で伝送される。親機２２から公衆回線を介して視聴情報が管理システムに伝送される。【選択図】  図３
2005245013.tif 000002
【特許請求の範囲】
【請求項１】
少なくとも有料番組が含まれた放送信号を受信するディジタル放送受信装置において、
上記有料番組の視聴履歴情報を記憶する記憶手段に接続されたインターフェースユニットと、
上記インターフェースユニットと接続されたディジタルコードレス電話機の子機と、
上記子機に接続され、上記記憶手段に記憶された上記視聴履歴情報をディジタルコードレス電話機の親機に対して無線で送信するアンテナとを備え、
上記視聴履歴情報を公衆電話回線を介して課金管理システムへ伝送するようにしたディジタル放送受信装置。
【請求項２】
請求項１において、
上記有料番組はスクランブル処理が施されて伝送され、
さらに、上記有料番組のスクランブルを解除するデスクランブラと、
デスクランブラの上記スクランブル解除処理に応じて、上記記憶手段に上記視聴履歴情報を記憶する制御手段とを有することを特徴とするディジタル放送受信装置。
【請求項３】
ディジタル放送受信装置のメモリに記憶された有料番組の視聴履歴情報の伝送方法において、
上記メモリから上記視聴履歴情報を読み出し、
読み出された上記視聴履歴情報をディジタルコードレス電話機の子機に供給し、
上記子機のアンテナを介してディジタルコードレス電話機の親機に対して無線で上記視聴履歴情報を送信し、
上記視聴履歴情報を上記親機および公衆電話回線を介して課金管理システムに伝送するようにしたことを特徴とする伝送方法。
【請求項４】
請求項３において、
さらに
上記有料番組に施されているスクランブルを解除し、
上記スクランブル解除処理に応じて、上記メモリに上記視聴履歴情報を記憶することを特徴とする伝送方法。
【発明の詳細な説明】
【技術分野】
【０００１】
この発明は、例えばディジタル衛星放送等の有料放送の受信装置に対して適用可能なディジタル放送受信装置および伝送方法に関する。
【背景技術】
【０００２】
最近、通信衛星を使用して画像信号、オーディオ信号等マルチメディア・データを伝送するディジタル放送システムが実用化されつつある。この発明は、かかるディジタル放送システムの受信装置に対して適用することができる。図４において、１は、ディジタル衛星放送の従来の受信装置の全体を示すものである。
【０００３】
図４において、２で示す受信アンテナは、通信衛星（または放送衛星）からの電波を受信する。アンテナ２に付属したコンバータは、受信信号を所定の周波数のＩＦ（中間周波）信号へダウンコンバートし、フロントエンド３に出力する。フロントエンド３は、図示しないが、チューナ、復調回路、誤り訂正回路から構成される。フロントエンド３内のチューナによって所望のトランスポンダが選択される。選択されたトランスポンダの信号が復調回路でＱＰＳＫ復調（Quadrature Phase Shift Keying)され、さらに誤り訂正回路で誤り訂正処理が施され、トランスポート・ストリーム出力が得られる。誤り訂正された出力（トランスポート・ストリーム）がデスクランブル部４に供給される。デスクランブル部４では、スクランブルを解除するデスクランブル処理がなされる。
【０００４】
デスクランブル部４の出力にＭＰＥＧ(Moving Pictures Expert Group)２のトランスポート・ストリームが得られ、これがデマルチプレクサ５に供給される。デマルチプレクサ５では、トランスポート・ストリームから所望の番組のパケットが分離され、また、ヘッダ部の情報に基づき映像データ、音声データおよび制御データが分離される。メモリ６は、デマルチプレクサの処理に用いられるために設けられている。
【０００５】
デマルチプレクサ５からの映像／音声データが映像／音声復号部７により復号され、受信映像／音声信号が生成される。映像／音声復号部７は、ＭＰＥＧ２のデコーダであり、映像／音声復号部７の処理と関連してメモリ８が設けられている。復号された映像／音声信号がＤ／Ａ変換器９によりアナログ映像／音声信号へ変換されて出力される。出力映像信号がディスプレイに供給され、受信映像が表示され、出力音声信号が例えばアンプで増幅されスピーカにより再生される。
【０００６】
デマルチプレクサ５で分離された制御データは、機器制御部としてのＣＰＵ１０に供給される。ＣＰＵ１０と関連してメモリ１１が設けられている。さらに、ＣＰＵ１０には、インターフェース部１２が接続される。インターフェース部１２を介して、リモコン（リモートコントロール）信号受信部１３、操作キー等が設けられているフロントパネル１４、ＩＣカード（セキュリティモジュール）１５がＣＰＵ１０に対して接続される。ＣＰＵ１０は、メモリ１１からプログラムを読出し、受信装置の動作を制御する。また、ＣＰＵ１０は、フロントエンド３、デスクランブラ４、デマルチプレクサ５、ＡＶデコーダ７の制御、リモコン信号受信部１３からのコマンドの受け付け、フロントパネル１４の表示や、ボタンの受け付けを行う。このように、ＣＰＵは、受信装置の制御を行う。
【０００７】
また、インターフェース部１２を介してモデム１６が接続される。モデム１６とモジュラージャック１７とが接続される。モジュラージャック１７は、受信装置１のリアパネルに設けられたもので、モジュラージャック１７と電話回線引込み口１８とがケーブルで接続されている。モデム１６は、電話回線を介してＩＣカード１５に記憶された視聴者情報（課金情報等）を伝送するためのものである。つまり、ペイパービュー（Pay Per View)
番組を視聴した場合の累積金額等の視聴履歴情報をＩＣカード１５に記憶し、その累積金額が設定された上限値に達した場合、または定期的に、ＩＣカード１５から読出された視聴履歴情報をモデム１６を経由して管理システムに送信するようになされる。
【発明の開示】
【発明が解決しようとする課題】
【０００８】
通常、家庭では、電話回線の引込み口が１箇所であり、引込み口が上述したディジタル衛星放送の受信装置の設置場所から離れている場合が多いために、延長ケーブルを引き回して、受信装置のモジュラージャック１７と引込み口１８とを接続する必要がある。また、家庭の１階に引込み口があり、受信装置を２階に設置したい場合では、ケーブルが長くなりすぎるので、２階の壁に電話回線引込み口の増設工事が必要となる。
【０００９】
従って、この発明の目的は、電話回線の引込み口の場所により設置場所が制約されることを防止することができるディジタル放送受信装置および伝送方法を提供することにある。
【課題を解決するための手段】
【００１０】
上述した課題を解決するために、この発明によるディジタル放送受信装置は、少なくとも有料番組が含まれた放送信号を受信するディジタル放送受信装置において、
有料番組の視聴履歴情報を記憶する記憶手段に接続されたインターフェースユニットと、
インターフェースユニットと接続されたディジタルコードレス電話機の子機と、
子機に接続され、記憶手段に記憶された視聴履歴情報をディジタルコードレス電話機の親機に対して無線で送信するアンテナとを備え、
視聴履歴情報を公衆電話回線を介して課金管理システムへ伝送するものである。
【００１１】
この発明による伝送方法は、ディジタル放送受信装置のメモリに記憶された有料番組の視聴履歴情報の伝送方法において、
メモリから視聴履歴情報を読み出し、
読み出された視聴履歴情報をディジタルコードレス電話機の子機に供給し、
子機のアンテナを介してディジタルコードレス電話機の親機に対して無線で視聴履歴情報を送信し、
視聴履歴情報を親機および公衆電話回線を介して課金管理システムに伝送するようにしたものである。
【発明の効果】
【００１２】
この発明では、受信装置と電話回線引込み口との間をディジタルコードレス電話機によって無線で接続できるために、受信機およびテレビ受像機を設置する時に、電話回線引込み口の場所を意識しないで、設置場所を選択できる。従って、延長ケーブルを使って引回し工事をしたり、電話回線引込み口を増設したりする手間と費用を低減することができる。
【発明を実施するための最良の形態】
【００１３】
以下、ディジタルコードレス電話を介して視聴履歴情報を課金管理システムに対して伝送するようにしたこの発明の実施の一形態を、図面を参照しながら説明する。図１は、この実施の一形態の説明に用いる構成を示す。図１において、１００が全体としてこの発明による受信装置を示す。図４に示す従来の受信装置と重複する部分も含めて以下に説明する。
【００１４】
受信アンテナ２により、通信衛星（または放送衛星）からの電波を受信し、アンテナ２に付属したコンバータにより生成した所定の周波数のＩＦ（中間周波）信号がフロントエンド３に出力される。フロントエンド３では、図示しないが、チューナ、復調回路、誤り訂正回路から構成される。フロントエンド３内のチューナによって所望のトランスポンダが選択される。選択されたトランスポンダの信号が復調回路でＱＰＳＫ復調され、さらに誤り訂正回路で誤り訂正処理が施され、トランスポート・ストリーム出力が得られる。誤り訂正された出力（トランスポート・ストリーム）がデスクランブル部４に供給され、スクランブルが解除される。スクランブル処理は、視聴者毎に視聴の可否を制御するのに使用するコンディショナルアクセスを実現する上で必要とされる。例えばある番組だけをそのつど有料で視聴するペイ・パー・ビューの契約が可能となる。スクランブルを解く鍵は、映像／音声情報と同様、パケットの一つとしてトランスポート・ストリーム中に挿入されている。
【００１５】
デスクランブル部４の出力にＭＰＥＧ２のトランスポート・ストリームが得られ、これがデマルチプレクサ５に供給される。デマルチプレクサ５では、トランスポート・ストリームから所望の番組のパケットが分離され、また、各パケットのヘッダ部の情報に基づき映像データ、音声データおよび制御データが分離される。制御データには、上述したスクランブルを解除するための鍵が含まれる。デマルチプレクサ５の処理と関連してメモリ６が設けられている。
【００１６】
デマルチプレクサ５で分離された映像／音声データが映像／音声復号部７により復号され、受信映像／音声信号が生成される。映像／音声復号部７は、ＭＰＥＧ２のデコーダであり、映像／音声復号部７の処理と関連してメモリ８が設けられている。復号された映像／音声信号がＤ／Ａ変換器９によりアナログ映像／音声信号へ変換されて出力される。出力映像信号がディスプレイ（ＣＲＴ）に供給され、受信映像が表示され、出力音声信号が例えばアンプで増幅されスピーカにより再生される。映像信号に対しては、表示用信号が重畳（スーパーインポーズ）され、ディスプレイの管面上に受信チャンネルの数字等が表示される。
【００１７】
デマルチプレクサ５で分離された制御データは、機器制御部としてのＣＰＵ１０に供給される。ＣＰＵ１０に接続されたメモリ１１には、通常動作制御用のプログラムが格納されたフラッシュメモリ、ＲＯＭ、フラッシュメモリを書き換えたり、ＩＣカードからのデータを読み込む際の一時的記憶部として使用されるＲＡＭ等が含まれる。機器制御用のプログラムは、ディジタル放送電波により伝送され、ＲＯＭ内のローダーによって、フラッシュメモリ内のプログラムの書き換えが可能とされている。さらに、ＣＰＵ１０には、インターフェース部１２が接続される。
【００１８】
インターフェース部１２を介して、赤外線によるリモコン（リモートコントロール）信号を受信するリモコン信号受信部１３、操作キー等が設けられているフロントパネル１４、ＩＣカード（セキュリティモジュール）１５がＣＰＵ１０に対して接続される。ＣＰＵ１０は、メモリ１１からプログラムを読出し、受信装置の動作を制御する。また、ＣＰＵ１０は、フロントエンド３およびデマルチプレクサ５の制御、リモコン信号受信部１３からのコマンドの受け付け、フロントパネル１４の表示や、ボタンの受け付けを行う。
【００１９】
また、インターフェース部１２を介してモデム１６が接続される。モデム１６は、例えば２４００ｂｐｓ（または１２００ｂｐｓ）の速度のものが使用される。モデム１６とリアパネルに設けられたモジュラージャック１７とが接続される。モジュラージャック１７と電話回線引込み口１８とがケーブルで接続可能とされている。モデム１６は、電話回線を介して顧客管理システムとの間で、双方向通信を行うために設けられている。
【００２０】
ペイパービュー番組を視聴した場合の累積金額等の視聴履歴情報をＩＣカード１５に記憶し、その金額が設定された上限値に達した場合、または定期的に、ＩＣカード１５から読出された視聴履歴情報をモデム１６を経由して外部の課金管理システムに送信するようになされる。課金管理システムの電話番号は、例えば映像データ、音声データと共に放送される制御データにより指定され、各受信装置毎にアップリンク先の電話番号が設定される。アップリンク処理は、まず、ＩＣカード１５からＣＰＵ１０に対してデータの読み込みがなされ、次に、ＣＰＵ１０と課金管理システムの間で、モデム１６および電話回線を介しての通信がなされる。
【００２１】
ＣＰＵ１０がＩＣカード１５に対して定期的にアップリンクの確認のコマンドを送り、ＩＣカード１５が応答することによって、ＩＣカード１５からＣＰＵ１０に対して、課金管理システムの電話番号、ＩＣカード認証情報、視聴履歴情報等のデータが転送される。ＣＰＵ１０は、モデムを制御することにより、課金管理システムを呼出し、パスワードを伝送し、課金管理システムからのパスワードを受け取る。そして、視聴履歴情報データを課金管理システムに伝送し、伝送が終了すると、回線が切断される。なお、受信装置と課金管理システムの間の信号は、１６値ＱＡＭ(Quadrature Amplitude Modulation) で変調されたものである。また、データは、セキュリティのために、全て暗号化される。
【００２２】
モジュラージャック１７と電話回線引込み口１８とをケーブルで接続した場合では、従来の受信装置と同様に、視聴情報が有線でもって伝送される。この発明では、後述するように、視聴情報の伝送をディジタルコードレス電話により無線で行うことが可能とされている。図１に示す構成は、アナログまたはディジタルコードレス電話により無線で視聴情報を送受信する例が示されている。
【００２３】
なお、有料放送システムにおける視聴制御は、スクランブル・オーソライゼーション・システムによりなされる。このシステムでは、視聴者に対して送信側で作成された受信端末に個別の個別情報（ＥＭＭ:Entitlement Management Message)が映像／音声データと共に送られ、受信端末では、自分と同一のＩＤのＥＭＭの暗号が解かれ、ＥＭＭ内のワーク鍵がＩＣカードに取り込まれる。このＥＭＭ内には、上述したアップリンク先である、管理システムの電話番号の情報も含まれる。ＥＭＭを復号するための鍵は、各受信端末で個別の鍵とされ、ＩＣカード１５の中に予め記憶されている。なお、ＥＭＭの中には、ワーク鍵や電話番号の他に契約したチャンネルＩＤ、契約タイプ（仮契約、ペーパービュー等）が含まれている。
【００２４】
番組を視聴すると、番組に付随する、受信端末に共通の共通情報（ＥＣＭ:Entitlement Control Message) がＩＣカード１５に取り込まれ、このチャンネルに対応するワーク鍵が事前に記憶されていれば、デスクランブル処理が行われ、視聴可能となる。個別情報および共通情報（以下、ＥＣＭと称する）は、映像／音声データと同様に、ＭＰＥＧ２のトランスポート・ストリームのパケットの形態で伝送される。ペイ・パー・ビューの場合では、上述したように、電話回線を介して視聴履歴情報を定期的にアップロードするようになされている。
【００２５】
モデム１６に対してアナログコードレス電話の子機モジュール１９が接続される。子機モジュール１９には、アナログコードレス電話用のアンテナ２０が接続される。アナログコードレス電話の電波到達範囲内には、アナログコードレス電話のアンテナ２１および親機２２が設置される。この親機２２、アンテナ２１と、アンテナ２０、子機モジュール１９との間で、電波の送受信がなされる。親機２２は、通常の電話機としてのダイヤリング、通話等の機能を持たないので、必要に応じて親機２２に対して通常の（コードレス電話ではない）電話機２３が接続される。親機２２と電話回線引込み口１８との間は、ケーブルで接続される。
【００２６】
モデム１６および子機モジュール１９の一部の具体的接続を図２に示す。モデム１６のライン入力／出力側には、演算増幅器３１、３２および抵抗３３、３４からなるハイブリッド回路が設けられている。演算増幅器３１の非反転入力端子にモデムの変調側から発生した送信信号Ｔｘが供給され、その反転入力端子が接地される。演算増幅器３１の出力端子と演算増幅器３２の反転入力端子とが接続され、演算増幅器３１の出力端子と演算増幅器３２の非反転入力端子とが抵抗３３および３４を介して接続される。抵抗３３および３４の接続点がライン３５を介してモジュラージャック１７に接続される。さらに、演算増幅器３２の出力が受信信号Ｒｘとしてモデム１６の復調側に供給される。
【００２７】
ハイブリッド回路によって、変調側からの送信信号Ｔｘをライン３５およびモジュラージャック１７を介して電話回線に送出し、また、電話回線からモジュラージャック１７およびライン３５を介して受信信号Ｒｘを復調側に供給することができる。送信信号Ｔｘおよび受信信号Ｒｘは、一例として視聴情報（ディジタルデータ）を１６値ＱＡＭで変調した信号である。１６値ＱＡＭは、直交する二つの搬送波の振幅を４段階に設定することによって、４ビット（１６値）のデータを送信する変調方式である。１６値ＱＡＭは、変調方式の一例であって、これ以外にＱＰＳＫ等の変調方式を使用しても良い。
【００２８】
モデムからの１６値ＱＡＭによって変調された被変調信号（Ｔｘ、Ｒｘ）の周波数は、アナログコードレス電話で使用される音声帯域（例えば３００Hz〜３ｋHzの範囲）内に分布する。従って、被変調信号を音声信号とみなして、アナログコードレス電話により送受信することができる。
【００２９】
アナログコードレス電話の場合では、子機モジュール１９は、図２に示すように、送信信号ＴｘをＦＭ変調するＦＭ変調器３６と、受信信号をＦＭ復調するＦＭ復調器３７と、デュプレクサ３８と、図示しないが制御用のマイクロコンピュータによって構成される。ＦＭ変調器３６およびＦＭ復調器３７は、ＰＬＬを用いた構成であり、所定の搬送波周波数のＦＭ変調およびＦＭ復調をそれぞれ行う。デュプレクサ３８は、バッファアンプ、バンドパスフィルタ等で構成されており、アンテナ２０を介してＦＭ変調器３６からの被変調信号を送出し、また、アンテナ２０からの被変調信号をＦＭ復調器３７に供給する。親機２２にも、ＦＭ変調器およびＦＭ復調器が備えられており、親機２２と接続される電話回線には、１６値ＱＡＭによって変調されたデータが伝送される。
【００３０】
図３は、視聴情報自体がディジタルコードレス電話により伝送可能な周波数範囲に収まっている場合に適用されるこの発明の実施の一形態の親機側の構成例を示す。この場合では、受信装置１００には、モデム１６が設けられず、ＩＦ部１２を介して、ＩＣカード１５から出力される視聴情報自体がディジタルコードレス電話の子機モジュール１９およびアンテナ２０と、アンテナ２１および親機２２側との間で送受信される。そして、親機２２に対してモデム２４が接続され、モデム２４が電話引込み口１８と接続される。子機モジュール１９と親機２２との間では、所定のディジタル変調を用いて視聴情報が伝送される。親機２２では、この変調されて伝送された視聴情報を復調し、復調された視聴情報がモデム２４に出力される。そして、モデム２４によって視聴情報が子機モジュール１９と親機２２の間の伝送に用いられていた変調方式とは異なる、例えば１６値ＱＡＭで変調される。また、モデム２４には、通常の電話機２３が接続され、通常の電話機を使用可能なように切り替えることができる。
【００３１】
また、子機モジュール１９を受信機内部に設けずに、受信機の外部に設けても良い。さらに、子機モジュール１９に対してダイヤリング機能、スピーカ、マイクロホン等を付加して、電話機としての機能を持たせても良い。また、ディジタルコードレス電話の子機モジュール１９と親機２２の間の変調方式とモデム２４での変調方式を同一にすることにより、モデム２４を省略することが可能である。
【００３２】
上述したように、この発明の実施の一形態では、視聴情報をディジタルコードレス電話を使用して無線で送信することが可能となる。また、ディジタルコードレス電話に代えて、ディジタル携帯電話、ディジタル簡易携帯電話（いわゆるＰＨＳ(Personal Handyphone System)）等を使用しても良い。ディジタル携帯電話やディジタル簡易携帯電話の場合では、ＣＤＭＡ（Code Division Multiple Access)やＴＤＭＡ（Time Division Multiple Access)といった変調方式が用いられる。この場合では、上述のように受信装置１００のモデム１６を省略できる。
【００３３】
さらに、以上の説明では、放送波を介して映像／音声データを送信する例について述べたが、映像データおよび音声データの一方のみを伝送するようにしても良く、また、映像／音声データに限らず、コンピュータプログラムのデータを伝送するようにしても良い。
【図面の簡単な説明】
【００３４】
【図１】この発明の実施の一形態の説明に用いるブロック図である。
【図２】この発明の実施の一形態の説明に用いるブロック図である。
【図３】この発明の実施の一形態における親機側の構成を示すブロック図である。
【図４】従来の衛星放送受信装置の一例のブロック図である。
【符号の説明】
【００３５】
３・・・フロントエンド、１０・・・ＣＰＵ、１２・・・インターフェース、１５・・・ＩＣカード、１６・・・モデム、１８・・・電話回線引込み口、１９・・・コードレス電話の子機モジュール、２２・・・コードレス電話の親機
【図１】
2005245013.tif 000003
【図２】
2005245013.tif 000004
【図３】
2005245013.tif 000005
【図４】
2005245013.tif 000006